(57)【要約】【課題】還元剤の添加を適切に行う。【解決手段】還元剤を排気管１２内に添加して内燃機関１０から排出される窒素酸化物を触媒にて還元処理する。還元剤添加部１６における還元剤の添加は処理部３０により制御され、還元剤を所定時間間隔で間欠的に添加するとともに、所定時間間隔は還元剤の添加量と窒素酸化物が還元されることで消費される還元剤の消費量に応じて決定するとともに、触媒浄化部２４における触媒での還元剤吸着量が、触媒から還元剤がリークしない範囲での最大吸着量に基づいて還元剤の添加が不要である値として決定され前記最大吸着量より低い値である上限値と、窒素酸化物の還元処理を行う上で必要最低限の値として決定される下限値との間である所定範囲に入った場合に、前記所定時間間隔をもって触媒での還元剤吸着量が最大吸着量となる還元剤を添加するよう制御する。【選択図】図１
2015203352.tif 000002
【特許請求の範囲】
【請求項１】
還元剤を排気管内に添加して内燃機関から排出される窒素酸化物を触媒にて還元処理する排ガス浄化装置において、
前記還元剤を所定時間間隔で間欠的に添加するとともに、前記所定時間間隔は還元剤の添加量と窒素酸化物が還元されることで消費される還元剤の消費量に応じて決定するとともに、
触媒での還元剤吸着量が、触媒から還元剤がリークしない範囲での最大吸着量に基づいて還元剤の添加が不要である値として決定され前記最大吸着量より低い値である上限値と、窒素酸化物の還元処理を行う上で必要最低限の値として決定される下限値との間である所定範囲に入った場合に、前記所定時間間隔をもって触媒での還元剤吸着量が最大吸着量となる還元剤を添加する、
排ガス浄化装置。
【請求項２】
請求項１に記載の排ガス浄化装置であって、
触媒での還元剤吸着量が前記下限値以下になった場合は、前記所定時間間隔によらず、還元剤吸着量が最大吸着量となる還元剤を添加し、
触媒の還元剤吸着量が前記上限値以上である場合は、還元剤を添加しない、
排ガス浄化装置。
【請求項３】
請求項１または２に記載の排ガス浄化装置であって、
前記所定時間間隔は、触媒の還元剤最大吸着量を内燃機関の最大窒素酸化物排出量で割った値より短い間隔にすると共に、還元剤最大吸着量と前記上限値との差の還元剤量を最大窒素酸化物排出量で割った値よりも長い間隔とする、
排ガス浄化装置。
【請求項４】
請求項１〜３のいずれか１つに記載の排ガス浄化装置であって、
前記下限値は、前記還元剤最大吸着量と比較して５０％から０％の範囲内の予め設定した値であり、
前記上限値は、前記還元剤最大吸着量と比較して３０％から９０％の範囲内の予め設定した値であり、
前記上限値は前記下限値より大きい、
排ガス浄化装置。
【発明の詳細な説明】
【技術分野】
【０００１】
本発明は還元剤を排気管内に添加して内燃機関から排出される窒素酸化物を触媒にて還元する排ガス浄化装置に関する。
【背景技術】
【０００２】
従来より、内燃機関の排気管にＮＯｘ浄化触媒を配置し、ここに還元剤を供給することで、還元剤を利用して排ガス中のＮＯｘを処理する装置が知られている。還元剤としては例えば尿素が用いられ、尿素の分解により得られたアンモニアをＮＯｘ浄化触媒に吸着させて、ＮＯｘの還元に利用する。
【０００３】
エンジン停止後に還元剤を排気管内に噴射することで、エンジンの始動時から、ＮＯｘ浄化性能を確保することが記載されている。また、特許文献１では、還元剤は間欠的に添加され、排気管内の温度が高いほど添加量が多くなるように制御される。
【先行技術文献】
【特許文献】
【０００４】
【特許文献１】特開２０１３−１１３２６７号公報
【発明の概要】
【発明が解決しようとする課題】
【０００５】
ここで、この特許文献１では、エンジンの停止中に還元剤を添加するため、その際にガス流がなく、還元剤は本来吸着すべき触媒表面とはかけ離れた位置に付着・滞在する可能性がある。また、エンジンの運転中における還元剤の添加については検討がなされていない。
【課題を解決するための手段】
【０００６】
本発明は、還元剤を排気管内に添加して内燃機関から排出される窒素酸化物を触媒にて還元処理する排ガス浄化装置において、前記還元剤を所定時間間隔で間欠的に添加するとともに、前記所定時間間隔は還元剤の添加量と窒素酸化物が還元されることで消費される還元剤の消費量に応じて決定するとともに、触媒での還元剤吸着量が、触媒から還元剤がリークしない範囲での最大吸着量に基づいて還元剤の添加が不要である値として決定され前記最大吸着量より低い値である上限値と、窒素酸化物の還元処理を行う上で必要最低限の値として決定される下限値との間である所定範囲に入った場合に、前記所定時間間隔をもって触媒での還元剤吸着量が最大吸着量となる還元剤を添加する。
【０００７】
一実施形態では、触媒での還元剤吸着量が前記下限値以下になった場合は、前記所定時間間隔によらず、還元剤吸着量が最大吸着量となる還元剤を添加し、触媒の還元剤吸着量が前記上限値以上である場合は、還元剤を添加しない。
【０００８】
他の実施形態では、前記所定時間間隔は、触媒の還元剤最大吸着量を内燃機関の最大窒素酸化物排出量で割った値より短い間隔にすると共に、還元剤最大吸着量と前記上限値との差の還元剤量を最大窒素酸化物排出量で割った値よりも長い間隔とする。
【０００９】
さらに、他の実施形態では、前記下限値は、前記還元剤最大吸着量と比較して５０％から０％の範囲内の予め設定した値であり、前記上限値は、前記還元剤最大吸着量と比較して３０％から９０％の範囲内の予め設定した値であり、前記上限値は前記下限値より大きい。
【発明の効果】
【００１０】
本発明によれば、所定時間間隔を持って、間欠的に還元剤を供給することで触媒における還元剤の吸着に分布を持たせることができ、かつ比較的時間間隔を短く設定することができ窒素酸化物の処理を確実に行うことができる。
【図面の簡単な説明】
【００１１】
【図１】内燃機関の排ガス浄化装置の全体構成を示すブロック図である。
【図２】排ガス処理の手順を示すフローチャートである。
【図３】還元剤吸着量の変化状態を示す図である。
【図４】触媒への還元剤の吸着状態を示す図である。
【図５】触媒への還元剤の吸着状態の浄化量への影響を示す図である
【図６】還元剤の添加状態を示す図である。
【図７】還元剤の添加状態の浄化量への影響を示す図である。
【発明を実施するための形態】
【００１２】
以下、本発明の実施形態について、図面に基づいて説明する。なお、本発明は、ここに記載される実施形態に限定されるものではない。
【００１３】
＜全体構成＞
エンジン１０は、ガソリンエンジン、ディーゼルエンジンなどの内燃機関であって、燃料を燃焼室で燃焼させて動力を得る。そして、燃焼排ガスがエンジン１０の排気部を介し排気管１２から排出される。
【００１４】
エンジン１０の排気部には、排ガス流量計１４が設けられ、ここで排ガス量が計測される。なお、排ガス流量計１４は排気管１２に設けてもよい。
【００１５】
排気管１２には、還元剤添加部１６が設けられている。この還元剤添加部１６には、還元剤タンク１８からの還元剤がポンプ２０を介して供給される。この例では、還元剤添加部１６には還元剤噴射弁２２が設けられており、この還元剤噴射弁２２から還元剤の水溶液が排気管１２内の圧力を上回る圧力で排気管１２内に噴射され、高温の排ガス中で蒸発される。また、還元剤噴射弁２２は、噴霧ノズルであって排気管１２内の排ガスに尿素水溶液を噴霧することが好適である。還元剤としては、例えば尿素が選択されこの尿素は、還元剤添加部１６内で熱によりアンモニアＮＨ３と水に分解される。
【００１６】
還元剤添加部１６からの還元剤が添加されアンモニアを含む排ガスは、触媒浄化部２４に供給される。この触媒浄化部２４には、ＳＣＲ（SCR: Selective Catalytic Reduction）触媒が充填されており、触媒表面に尿素や分解したアンモニアが吸着される。ＳＣＲ触媒としては、例えば鉄系のＦｅゼオライトが用いられるが、銅系のものや、酸化チタンを主成分としてバナジウムやタングステンを添加したものなど、各種のものが使用できる。
【００１７】
アンモニアは、ＳＣＲ触媒の表面に吸着され、排ガス中のＮＯｘがアンモニアと反応して、窒素ガスと水に変換される。なお、吸着した尿素は触媒表面上で分解され、アンモニアとなってＮＯｘと反応する。
【００１８】
ここで、触媒浄化部２４の上流側の排気管１２には温度計２６、触媒浄化部２４には触媒温度計２８が配置されており、触媒浄化部２４に供給される排ガスの温度および触媒浄化部２４内の触媒温度がそれぞれ計測される。
【００１９】
触媒浄化部２４の後段にはアンモニアが排出された際にこれを除去するための酸化触媒を配置することが好適である。さらに、触媒浄化部２４の後段の排気管１２にはＮＯｘセンサを設け、ＮＯｘがリークしていないかを監視することが好適である。
【００２０】
そして、処理部３０には、排ガス流量計１４、温度計２６、触媒温度計２８からの計測値およびエンジン１０の運転状態についての情報（信号）が供給され、処理部３０がポンプ２０による、還元剤の添加量を制御する。この処理部３０は単独のプロセッサとして形成しても良いし、処理毎に別々のマイクロプロセッサを設けても良い。
【００２１】
すなわち、図に示す例では、処理部３０は、エンジン１０からの排出ＮＯｘ量を推定する排出ＮＯｘ量推定部４０、触媒浄化部２４における還元剤吸着量を記憶する還元剤吸着量メモリ４２、触媒浄化部２４におけるＮＯｘの浄化量を推定するＮＯｘ浄化量推定部４４、触媒浄化部２４における還元剤の消費量を推定する還元剤消費量推定部４６、触媒浄化部２４における還元剤最大吸着量を推定する還元剤最大吸着量推定部４８、およびポンプ２０を制御するコントローラ５０を有している。
【００２２】
このような処理部３０における動作を図２に基づいて説明する。なお、触媒浄化部２４において吸着される還元剤はアンモニアで、添加される還元剤は尿素であるが、両者には一対一の関係があるため、両者とも還元剤と呼ぶ。
【００２３】
まず、システムの現在状況を示す、排ガス流量計１４、温度計２６、触媒温度計２８からの計測値およびエンジン１０の運転状態についての情報を取り込む（Ｓ１１）。
【００２４】
排出ＮＯｘ量推定部４０は、エンジンへの燃料供給量、空燃比、回転数などの運転状況に基づいて、エンジン１０から排出されるＮＯｘの量を推定する（Ｓ１２）。なお、排ガス中の推定ＮＯｘ濃度に排ガス量を乗算したものが排出ＮＯｘの推定量になる。また、ＮＯｘ量推定部４０は、事前に計測したエンジン運転状態と排出ＮＯｘ量の関係をマップ化した値を利用してもよいし、その式を利用してもよい。なお、エンジン１０の排ガス流のＮＯｘ濃度をＮＯｘセンサで計測してもよい。
【００２５】
次に、還元剤吸着量メモリ４２から、触媒浄化部２４の触媒に現在吸着されている還元剤量を読み出す（Ｓ１３）。なお、この還元剤吸着量メモリ４２へのデータの書き込みについては後述する。
【００２６】
次に、ＮＯｘ浄化量推定部４４において、触媒温度、排ガス温度、排ガス流量、排出ＮＯｘ量、読み出した還元剤吸着量から触媒によるＮＯｘ浄化量を推定する（Ｓ１４）。このＮＯｘ浄化量推定部４４も、事前の計測より触媒温度、排ガス温度、排ガス流量、ＮＯｘ濃度、還元剤吸着量と、ＮＯｘ浄化量との関係をマップ化した値を用いてもよいし、式を利用してもよい。
【００２７】
このようにして、ＮＯｘ浄化量が得られた場合には、還元剤消費量推定部４６においてＮＯｘ浄化量に対応して消費される還元剤量を推定する（Ｓ１５）。アンモニアを用いたＮＯｘの還元反応はわかっているため、ＮＯｘ浄化量から還元剤消費量を計算できる。また、温度に応じてアンモニアの分解量が変化するので、これも考慮する。
【００２８】
次に、還元剤吸着量メモリ４２において記憶されている値から、得られた消費される還元剤量を引き、新たな還元剤吸着量を求め、求められた値で還元剤吸着量メモリ４２の吸着値を更新する（Ｓ１６）。すなわち、Ｓ１６において、消費される還元剤の量に応じて還元剤吸着量を減算し、現在の還元剤吸着量が記憶されているようにする。
【００２９】
そして、還元剤最大吸着量推定部４８により、触媒温度、排ガス温度、排ガス流量から、現時点での触媒浄化部２４の触媒に吸着できる還元剤の最大値である還元剤最大吸着量を推定する（Ｓ１７）。この還元剤最大吸着量推定部４８も、事前の計測より触媒温度、排ガス温度、排ガス流量と、還元剤最大吸着量との関係をマップ化した値を用いてもよいし、それについての式を利用してもよい。
【００３０】
続いて、コントローラ５０による、還元剤の添加の制御に入る。まず、還元剤最大吸着量に対する現在の還元剤吸着量の割合を調べ、現在の還元剤吸着量の割合が事前に決めた下限値（例えば、１０％）以上かを判定する（Ｓ１８）。
【００３１】
このＳ１８の判定で、ＹＥＳの場合には、次に還元剤最大吸着量に対する現在の還元剤吸着量の割合が事前に決めた上限値（例えば、６０％）以上かを判定する（Ｓ１９）。Ｓ１９の判定でＹＥＳの場合には、還元剤の触媒吸着量は十分大きく還元剤の添加はできないため、処理を終了する。
【００３２】
Ｓ１８の判定でＹＥＳ、Ｓ１９の判定でＮＯの場合は、還元剤吸着量の割合が上下限値の範囲内に入っている。本実施形態では、この場合に適切な還元剤の間欠供給を行う。
【００３３】
すなわち、Ｓ１９の判定でＮＯの場合には、前回の還元剤供給から所定時間が経過したかを判定する（Ｓ２０）。所定時間を経過していない場合には、還元剤供給タイミングではないため処理を終了する。
【００３４】
一方、Ｓ２０の判定でＹＥＳであれば、還元剤を吸着量の吸着最大値まで添加する（Ｓ２１）。そして、還元剤吸着量メモリ４２の吸着値を更新し（Ｓ２２）、処理を終了する。これによって、還元剤吸着量メモリ４２における記憶値が現在の還元剤吸着量に更新される。
【００３５】
ここで、Ｓ１８の判定においてＮＯであり、還元剤の吸着量が下限値以下の場合には、Ｓ２１に移行し、還元剤を吸着最大値まで添加し、Ｓ２２で還元剤吸着量メモリ４２を更新して処理を終了する。
【００３６】
このような処理をエンジン１０が動作中に連続して実行することで、還元剤を間欠的に適切に添加することができる。
【００３７】
（還元剤添加間隔の決定）
このような処理における、触媒浄化部２４における還元剤の吸着量、吸着剤の供給間隔について、図３に基づいて説明する。
【００３８】
まず、図３においては、最初に還元剤を吸着最大値まで吸着された状態とする。この吸着最大値は、触媒浄化部２４に還元剤（この例では、尿素が分解されて得られたアンモニア）が下流側にリークせずに吸着できる吸着最大値であり、供給した還元剤量と還元剤の吸着量は基本的に等しい。還元剤を下流側にリークさせることを許容して吸着させた場合の吸着可能最大値に比べれば、小さな値である。例えば、リークを許容した場合の還元剤の吸着可能最大値を「１」とした場合に、ここでいう吸着最大値はその「０．９」程度に該当する。
【００３９】
触媒浄化部２４の触媒に吸着最大値まで吸着されていた還元剤は、排ガス中のＮＯｘの浄化により消費され、還元剤吸着量は減少する。図においては、吸着最大値に対する割合で示してある。なお、吸着割合ではなく、吸着量として制御してもよい。
【００４０】
通常の制御では、必要量の還元剤を連続的に添加するか、または吸着割合が予め設定した下限値になったときに、再び還元剤を添加するように制御する。図においては、吸着割合が下限値に至ったときに還元剤を添加する例を破線で示しており、吸着割合は、吸着最大値から減少していき下限値（図中黒三角で示す）に至ったときに還元剤が添加されて吸着割合が吸着最大値にまで上昇することを繰り返す。
【００４１】
本実施形態の制御では、還元剤吸着割合が上限値を下回り、下限値以上の状態で、前回の噴射からの時間が設定した所定時間（予め設定した時間間隔）以上になったとき、還元剤を添加する。この結果、図中の太線で示すように、還元剤吸着割合が吸着最大値〜上限値と下限値の間の所定値（所定時間後の値）を上下することを繰り返すことになる。
【００４２】
ここで、還元剤吸着割合が下限値まで低下したところで、還元剤を添加する制御では、吸着している還元剤量が少ない期間が存在する。一方、本実施形態の制御では、還元剤吸着量が上限値を下回った後、比較的すぐ還元剤が添加される。これにより、比較的高いレベルでの還元剤吸着割合を維持でき、その結果、高い浄化率を得ることができる。また、吸着最大値は、還元剤のリークがない状態の吸着であり、触媒の最後段側では還元剤の吸着量はほぼ０である。
【００４３】
また、設定した添加間隔以上になった場合に、還元剤を添加することで、１回の噴射量を増やし触媒での還元剤の吸着分布を形成する。すなわち、本実施形態では、基本的に還元剤の添加を所定時間間隔以上の間欠添加に維持することで、触媒浄化部２４の触媒に吸着分布を形成でき、効果的なＮＯｘの処理が行える。なお、添加時間間隔が短くなると、触媒浄化部２４の触媒への還元剤の吸着状態が連続供給に近くなってしまい、適切な還元剤の吸着分布を形成できなくなる。
【００４４】
還元剤添加間隔の範囲は、最長間隔から最短間隔の範囲になる。図３から分かるように、最長間隔は全部の還元剤を使い切るまでの時間以下になる（図中白四角）。上述の通常制御では、下限値までの時間（図中黒三角までの時間）となるが、ここでは下限値が吸着割合Oの場合も想定して白四角までの時間が最長間隔になる。この最長間隔は、エンジン１０からの排出ＮＯｘ速度に応じて変化するが、最も短くなるのはエンジン１０から、その機関が持つ最大のＮＯｘ排出速度で放出される状態が続いた場合である。その最長間隔は、還元剤最大吸着量（ｇ）を最大ＮＯｘ排出速度（ｇ／ｓ）で割った値となり、添加間隔としては、この値以下に設定することになる。
【００４５】
一方、添加間隔は上限値までに要する時間以上となる。この時間も、還元剤最大吸着量（ｇ）を１とした場合と上限値との差に相当する還元剤量を最大ＮＯｘ排出割合（ｇ／ｓ）で割った値から求めることができる。
【００４６】
従って、噴射期間としては、図３で示す最短の間隔より長く、かつ、最長間隔よりも短い値となる。
【００４７】
なお、図において、還元剤最大吸着量と比較して、上限値は８０％程度、下限値は２０％程度としたが、上限値は下限値より大きいという条件で、上限値は３０％から９０％の範囲内の予め設定した値、下限値は、５０％から０％の範囲内の予め設定した値とでき、特に上限値６０％、下限値１０％とすることが好適である。すなわち、上限値は、触媒に吸着された還元剤の量が十分であり還元剤の添加が不要である値として決定され、下限値は触媒に吸着された還元剤の量が還元剤の添加がすぐ必要な値として決定される。
【００４８】
＜還元剤の吸着分布の影響＞
本実施形態においては、還元剤の吸着割合が上限値以下となり、所定の時間間隔を経過したときに還元剤を添加する。これによって、還元剤は触媒入口側に多く吸着し、下流側ではほとんど吸着していない状態となり、これを維持することができる。
【００４９】
図４に示すように、上流のみにＮＨ３が吸着した状態（ＦＲＯＮＴ）、下流のみに吸着した状態（ＲＥＡＲ）、上流から下流にかけて分布がある状態（分布）の３状態の触媒に一定ガス流量、ガス温度、ＮＯｘ濃度の排ガスが触媒に入るという条件で、シミュレーションを行った。なお、還元剤（ＮＨ３）の吸着量は同一である。このシミュレーションによる、ＮＯｘ浄化量の比較結果を図５に示す。
【００５０】
このように、上流側に１００％吸着している場合（ＦＲＯＮＴ）、還元剤の吸着部で浄化できずにもれたＮＯｘはその後ろに還元剤吸着がないため、浄化されない。他方、還元剤を下流に１００％吸着した場合（ＲＥＡＲ）には、もれた還元剤は触媒の外に出てしまい利用できないため、浄化量が少なくなってしまう。上流に多く、そして下流側にも還元剤が存在する分布を持った状態（分布）では、上流で多くのＮＯｘが浄化され、上流からもれたＮＯｘも下流倒のＮＨ３で浄化されるため高いＮＯｘ浄化量を維持できる。また、最下流には還元剤が吸着していないため、触媒から流れ出る還元剤もなく、吸着した還元剤を有効に使うことができる。特に、触媒後段では温度変化で還元剤が放出される危険性がある。このため、下流側ではゼロもしくは少ない方が望ましい。
【００５１】
ここで、高濃度の還元剤を短時間で添加する手法（還元剤の間欠的な添加手法）がある。高濃度の還元剤を短時間で添加することで、触媒上流側では、高濃度の還元剤が吸着され、上流側で吸着しきれなかった還元剤が下流側で吸着する。これによって、上流側で吸着量が多く、下流側に進むに従って吸着量が少なくなる吸着分布を形成することができる。
【００５２】
＜還元剤の間欠添加＞
図６では、還元剤を連続添加した場合と、３０秒、６０秒、１２０秒間隔で間欠的に添加した場合における、還元剤（ＮＨ３）の添加量について示してある。このように、トータルの添加量を一定とした場合に、１回の添加量は、添加の時間間隔が大きいほど多くなる。
【００５３】
図７には、初期吸着なしで、図５に示すような添加形式とした場合のＮＯｘの積算浄化量を示す。なお、図においては、１２０秒間隔で還元剤を添加した場合における、１２０秒経過後の浄化量を１としている。
【００５４】
このように、還元剤を間欠的に添加した場合には、より多くのＮＯｘ浄化量が得られている。これは、間欠的に還元剤を投入することで、還元剤を入口側に多く、そして入口で吸着できなかった還元剤が下流側に広がっていくことによる。また、間隔を小さくすることで、連続添加に近づくため、触媒に吸着される還元剤に上述のような分布が得られないためと考えられる。この結果では、間隔を６０秒以上にすれば、還元剤の有効利用が図れることが分かる。
【００５５】
ＮＯｘの処理（還元による排ガス浄化処理）は、触媒入口にて始まるが、上流側で１００％浄化できるわけではないため、ＮＯｘは下流側に流れる。そこで、下流側にも還元剤が存在することでＮＯｘの浄化率を十分なものにできる。また、触媒入口では常に最初に浄化が始まる。このため、この部分における還元剤の消費も多くなる。従って、吸着分布を維持するためには、時間間隔は吸着分布を維持できる範囲（連続添加に近くならない範囲）で短い方がよい。一方、上述のように、添加間隔があまり短いと間欠添加の効果が得られない。そこで、触媒が吸着できる吸着最大値を考慮し適切な量の還元剤が常に触媒に吸着している状態を保つことが好適である。
【００５６】
本実施形態では、還元剤の吸着量が所定値以下（上限値）となり、かつ還元剤の添加時間間隔が所定値以上となったときに、還元剤のリークが起こらない吸着最大値まで添加することによって、効果的なＮＯｘの浄化処理が行える。
【００５７】
＜還元剤＞
ここで、ＮＯｘ浄化において添加する還元剤としては、アンモニアが好適であり、特に尿素の水溶液として排ガス中に添加することが好適である。
【００５８】
尿素は、高温の排ガス中で、アンモニアに分解し、アンモニアが銅、鉄などの触媒に吸着する。そして、アンモニアが還元剤として排ガス中のＮＯｘと反応し、ＮＯｘが窒素ガスに還元される。一方、アンモニアは、窒素と、水に分解される。
【００５９】
尿素水溶液の濃度が高いと、排ガス中におけるアンモニア濃度も高くなる。このため、触媒の上流側には多く吸着され、下流側に吸着量が減少する分布が得られやすい。
【００６０】
ここで、排ガス温度が高いと、アンモニアが分解しやすく、触媒への吸着量も温度が高いと小さくなる。そこで、コントローラ５０は、このアンモニアの分解量も考慮して、尿素の添加量を制御することが好適である。また、添加する尿素水溶液の濃度が高く、添加量が多い方がアンモニアの分解量が少なくなる。そこで、尿素水溶液の濃度は十分に噴射できる範囲で高濃度とした方がよい。
【符号の説明】
【００６１】
１０  エンジン、１２  排気管、１４  排ガス流量計、１６  還元剤添加部、１８  還元剤タンク、２０  ポンプ、２２  還元剤噴射弁、２４  触媒浄化部、２６  温度計、２８  触媒温度計、３０  処理部、４０  排出ＮＯｘ量推定部、４２  還元剤吸着量メモリ、４４  ＮＯｘ浄化量推定部、４６  還元剤消費量推定部、４８  還元剤最大吸着量推定部、５０  コントローラ。
【図１】
2015203352.tif 000003
【図２】
2015203352.tif 000004
【図３】
2015203352.tif 000005
【図５】
2015203352.tif 000006
【図６】
2015203352.tif 000007
【図７】
2015203352.tif 000008
【図４】
2015203352.tif 000009